(57)【要約】【課題】ボードの横側方に拡散することを抑制するのに有利な照明付ベッド装置を提供する。【解決手段】照明付ベッド装置１は、就寝する使用者の頭部側または脚側において配設され頭部側または脚側に対面するボード３を備える。ボード３は、就寝する使用者の頭部側または脚側に対面して形成されボード３の内部に凹状に形成された空間部４と、空間部４内を照らす照明器５０とを備えている。【選択図】図１
2008022899.tif 000002
【特許請求の範囲】
【請求項１】
就寝する使用者の頭部側に対面するボードを備えるベッド装置において、
前記ボードは、脚側のみに開放する空間部と、前記空間部の上下側面の少なくとも一方に設けられた光源とを備え、前記光源から照射された光が他方の側面で反射された後に就寝者を覚醒させるベッド装置。
【請求項２】
請求項１において、前記空間部のベッド幅方向側面には、外側への漏光を防ぐ側壁部が延設されたことを特徴とするベッド装置。
【請求項３】
請求項１または２において、前記空間部の前記上側面は、就寝者の目の位置よりも上側にあるベッド装置。
【請求項４】
請求項１において、前記光源から照射された前記光は、光透過性をもつ光透過部材を通過した後に、前記他方の側面で反射される、ベッド装置。
【請求項５】
請求項４において、前記光透過部材は前記一方の側面に対して着脱可能とされている、ベッド装置。
【発明の詳細な説明】
【技術分野】
【０００１】
本発明は使用者を入眠状態から覚醒させるのに適する照明付ベッド装置に関する。
【背景技術】
【０００２】
特許文献１には、ベッドのへッドボードの内部照明灯の光をヘッドボードの横側方（ベッドに就寝している使用者の頭部側に対面しない側）に形成した窓開口から放つことで、ベッドのへッドボードの横側方の周辺を薄暗く照らす技術が開示されている。このものによれば、へッドボードの内部に配置した照明灯からの光は、ヘッドボードの横側方の窓開口から放たれ、へッドボードの横側方を薄暗く照らすため、ベッドで就寝している使用者の就寝を妨げないとされている。
【０００３】
特許文献２には、ベッドのヘッドボードにＬＥＤを設け、ヘッドボードのうち使用者の頭部側に対面する位置に光拡散用のプリズムを設け、ＬＥＤから発光された光をプリズムを介して拡開方向に拡散させ、ベッド上の使用者を照らす照明付きベッドが開示されている。
【０００４】
特許文献３には、光量を無段階または段階的に調整可能な照明付ベッド装置と、この照明付ベッド装置に光量を漸増させる信号発生装置と、信号発生装置および目覚まし音発生装置をそれぞれ設定された時刻に起動させるタイマー装置とを有する照明併用式目覚まし時計が開示されている。このものによれば、ベッドに入眠している使用者に、照明付ベッド装置から直接照射される直接光を当てることにしている。特許文献４には、設定時刻になると、室内照明付ベッド装置の照明を徐々に明るくさせる調光機能を有する目覚まし装置が開示されている。
【特許文献１】実開平６−６４５５７号公報
【特許文献２】特開２００３−２２９０１８号公報
【特許文献３】実開平４−９６０９５号公報
【特許文献４】特開２００３−２１５２７９号公報
【発明の開示】
【発明が解決しようとする課題】
【０００５】
ところで、特許文献１の技術は、就寝を妨げないように、ベッドのへッドボードの内部に配置した照明灯からの光を、ヘッドボードの側板の窓開口を透過させてヘッドボードの横側方を薄暗く放すだけである。このものでは、夜間、使用者がトイレに起きるとき便利である。しかし、照明灯の光は、ベッド上の使用者の付近を照らす方式ではないため、ベッド上の使用者の読書には不向きである。更に、ベッドが複数並設されているときには、一方のベッドのへッドボードの内部に配置した照明灯からの光は、他方のベッド側に直接的に放散されるため、他方のベッドに就寝している使用者に影響を与える。
【０００６】
特許文献２の技術は、ＬＥＤから発光された光を光拡散用のプリズムを介して拡開方向に放散させる。このため、ＬＥＤから発光された光が四方に拡散され易く、周辺まで照らす頻度が高い。従って、もし、隣で就寝している人が存在すると、その者に影響を与えるおそれが高い。特許文献３，４の技術は、使用者を入眠状態から覚醒させることができるものの、ベッドに付設されているボードの内部の駆動室を利用して照明する方式ではない。
【０００７】
本発明は上記した従来の装置を技術的に更に進めたものであり、空間部の光がボードの横側方に拡散することを抑制するのに有利な照明付ベッド装置を提供することを課題とする。
【課題を解決するための手段】
【０００８】
様相１に係るベッド装置は、就寝する使用者の頭部側に対面するボードを備えるベッド装置において、
前記ボードは、脚側のみに開放する空間部と、前記空間部の上下側面の少なくとも一方に設けられた光源とを備え、前記光源から照射された光が他方の側面で反射された後に就寝者を覚醒させるようにしたものである。空間部は、使用者の頭部に開放せず、使用者の脚側（のみ）に開放する。
【０００９】
尚、前記空間部のベッド幅方向側面には、外側への漏光を防ぐ側壁部が延設させたり（様相２）、前記空間部の前記上側面は、就寝者の目の位置よりも上側に位置させたり（様相３）、前記光源から照射された前記光は、光透過性をもつ光透過部材を通過した後に、前記他方の側面で反射されるようにしたり（様相４）、前記光透過部材は前記一方の側面に対して着脱可能とする（様相５）ことも出来る。
【発明の効果】
【００１０】
本発明によれば、ボードの内部に形成されている空間部の上側面（下側面）が下側（上側）の光源から照射された光を反射させて、就寝者を覚醒させる。しかして空間部は脚側のみ開放されているので、その際、反射光がボードの横側方に拡散することが抑制される。従って、空間部の近くで使用者が就寝している場合、その就寝者に対して影響が少ない。
【発明を実施するための最良の形態】
【００１１】
（実施形態１）
以下、本発明の実施形態１について図１〜図７を参照して説明する。本実施形態に係る室内用の照明付ベッド装置１は、複数のベッド２を備えている。ベッド２は、寝具２１（マットレス）を載せるベッド本体２０と、ヘッドボードとして機能するボード３とを備える。ボード３は、使用者の頭部側において配設されており、頭部側に対面する。ボード３は、就寝する使用者の頭部側（枕２４側）に対面して形成されている。ボード３は、開閉扉３１をもつ収容室３０と、ボード３の内部において収容室の下方に凹状に形成された空間部４と、空間部４内を照らす照明器５０とを備えている。空間部４は、直方体形状をなしている。空間部４は、空間部４をもつボード３を備えるベッド２の寝具２１側（ベッド２の使用者の頭部側）に対面開放する照明用の照明口４２を有する。ここで、ボード３は、空間部４の横側方を塞ぐ側壁部４０と、空間部４の背面（空間部４のうち使用者から遠い側）を塞ぐ背壁部４１とを備えている。この場合、ボード３の内部の空間部４の光は、空間部４の照明口４２からベッド２の寝具２１側（ボード３の前方）に伝播されるものの、側壁部４０により空間部４の横側方に漏れることが抑制される。故に空間部４の全体が良好に照明される。換言すると、空間部４の側方を塞ぐ側壁部４０が設けられているため、空間部４内が照明されていれば、空間部４内の光がボード３の横側方に拡散することが抑制される。故に、他の使用者が近くで就寝している場合であっても、他の就寝している者に対して光が伝播されにくくなり、他の就寝している者に対して影響が少ない。
【００１２】
本実施形態によれば、空間部４のサイズは適宜選択される。例えば、空間部４の幅サイズをＬ１とし、ベッド本体２０の幅サイズをＬ２とすると、Ｌ１＜Ｌ２とされている。Ｌ１の下限値としては、（０．１×Ｌ２）、（０．２５×Ｌ２）が例示されるが、これらに限定されるものではない。空間部４の照明口４２の下辺部４８から照明口４２の上辺部４９までの高さサイズをＨ１とし、床面からベッド本体２０の寝具２１の上面までの高さサイズをＨ２とすると、（０．２×Ｈ２）＜Ｈ１＜（３×Ｈ２）とされている。Ｈ１の下限値としては、（０．１×Ｈ２）、（０．２５×Ｈ２）が例示されるが、これらに限定されるものではない。空間部４の容積は、使用者の頭部の１／２の容積よりも大きく設定されている。具体的には、空間部４の容積をＶ１とし、使用者の頭部の容積をＶ２とするとき、Ｖ１＝（０．５〜２０）×Ｖ２程度、あるいは、Ｖ１＝（２〜１０）×Ｖ２程度とされている。
【００１３】
図１および図２に示すように、照明器５０は、空間部４内の上面側に配置された上側光源５１と、空間部４内の下面側に配置された下側光源５２とを備えている。上側光源５１は、線状に延びる第１上側光源５１１と、第１上側光源５１の両端側に配置された第２上側光源５１２とをもつ。下側光源５２は、線状に延びる第１下側光源５２１と、第１下側光源５２の両端側に配置された第２下側光源５２２とをもつ。上側光源５１および下側光源５２の形態としては、これに限定されるものではなく、要するに照明できるものであれば良く、蛍光灯、発光ＬＥＤ、白熱電球、クリプトンランプ、ネオンランプ等の公知の照明灯を採用できる。
【００１４】
棚上として機能する光透過性をもつ薄い板状の上側光透過部材４６（上側面を形成する）が空間部４の上側に配設されている。棚下として機能する光透過性をもつ薄い板状の下側光透過部材４７（下側面を形成する）が空間部４の下側に配設されている。上側光透過部材４６および下側光透過部材４７は互いに対面している。上側光透過部材４６および下側光透過部材４７は、半透明体で形成されており、空間部４を照らす間接光を生成できる。即ち、照明器５０の上側光源５１から発光される光は上側光透過部材４６を透過し、空間部４を間接光として照らす。照明器５０の下側光源５２から発光される光は下側光透過部材４７を透過し、空間部４内を間接光として照らす。空間部４の側壁部４０および背壁部４１は光反射性を有するため、光は側壁部４０および背壁部４１においても反射され、さらに間接光の照度が高まる。ここで、間接光は、照明器５０の光源から発光された光を他の部材に少なくとも一度透過または反射させた光をいう。間接光は、光源から直接的に発光された直接光に比較して、眩しさが少なく、柔らかい光といえる。このため、直接光による眩しさが軽減され、眩しさに起因する不快感が軽減される。上側光透過部材４６および下側光透過部材４７を交換してその色を変更すれば、使用者の好みに応じて空間部４内の照明の光の色を適宜変更できる。上側光透過部材４６は、空間部４の上側面を形成し、空間部４に対して着脱可能とされている。このため上側光源５１を空間部４を介して容易に交換できる。下側光透過部材４７は空間部４の下側面を形成し、空間部４に対して着脱可能とされている。このため下側光源５２を空間部４を介して容易に交換できる。
【００１５】
本実施形態によれば、上側光源５１が点灯すると、上側光源５１からの光は上側光透過部材４６を下方に向けて透過する。この場合、上側光源５１から上側光透過部材４６を透過した光は、下側光透過部材４７、側壁部４０、背壁部４１で反射するため、間接光の割合が高くなる。下側光源５２が点灯すると、下側光源５２からの光は下側光透過部材４７を上方に向けて透過する。この場合、下側光源５２から下側光透過部材４７を透過した光は、上側光透過部材４６、側壁部４０、背壁部４１で反射するため、間接光の割合が高くなる。この結果、ボード３の内部の空間部４の全体は、間接光の割合が高い光により良好に照明される。
【００１６】
殊に、空間部４の上側には上側光源５１が配置され、空間部４の下側には下側光源５２が配置されているため、空間部４内において上方向および下方向に沿って伝播される光量が増加する。このため上側光透過部材４６および下側光透過部材４７により光が反射するものの、空間部４を照明している光が空間部４の横側方（隣のベッド側）に拡散される割が少なくなる。この結果、空間部４の光が、その空間部４をもつボード３の横側方に拡散することが抑制される。ひいては、ボード３の横方で使用者が就寝している場合であっても、光がその就寝者を照らすことが抑制され、その就寝者に対して影響が少ない。
【００１７】
本実施形態によれば、ボード３の内部に形成されている空間部４の全体が照明されるため、空間部４の光は、間接光の割合が高い光とし、空間部４の周辺を照らす。この場合、間接光の割合が高い光により、ベッド２上の使用者は照らされる。殊に、ベッド２上の使用者の頭部側は照らされる。本実施形態によれば、図３に示すように、ベッド２の寝具２１の上面２１ｕの高さを就寝基準位置（高さゼロ）とするとき、空間部４の照明口４２の下辺部４８（下側光透過部材４７）の高さをＨｄとし、空間部４の照明口４２の上辺部４９（上側光透過部材４６）の高さをＨｕと、ベッド２の寝具２１に横たわる使用者の頭部の高さをＨheadとすると、Ｈｕ＞Ｈheadの関係、Ｈｄ＞Ｈheadの関係とされている。このため図３に示すように、空間部４の照明口４２の下辺部４８および上辺部４９の双方が、ベッド２の寝具２１に横たわる使用者の頭部よりも上方に位置する。よって図３に示すように、空間部４の照明口４２の下辺部４８の高さは、使用者の頭部の高さよりも高く設定されている。故に、空間部４は、使用者の頭部に向けて開放せず、使用者の脚側に向けて開放する。本実施形態によれば、寝具２１に横たわる使用者の顔面付近に、頭部の上方から、空間部４の照明の光を効果的に照らすことができ、覚醒に有利となる。更にベッド２上の使用者の顔面がどちらを向いていても、顔面付近を照らすのに有利である。
【００１８】
本実施形態によれば、ボード３の内部に形成されている空間部４の全体が照明されるため、空間部４の前方に向けて、つまり、ベッド２上の使用者の頭部側に向けて空間部４の光が放出されるため、ベッド２上の使用者は、就寝前において良好に読書することができる。更に、空間部４の光はベッド２上の使用者の頭部側に向けて放出されるものの、照明されている空間部４をもつボード３の横側方に、その空間部４の光が拡散することが抑制される。従って、隣のベッド２側への放出が制限されるため、ボード３の横方で使用者が就寝している場合であっても、光がその就寝者を照らすことが抑制され、その就寝者に対して影響が少ない。
【００１９】
図１および図２に示すように、天井壁を上向きに照らす天井光ＰＡを生成する天井光源５５がボード３の上部に設けられている。この場合、天井壁を照らす天井光ＰＡが間接光として形成されるため、直接光に比較して使用者に眩しさを感じさせることを抑制できると共に、室内のうち天井側を広い面積で薄明かり状態とするのに有利である。更に、横側方の外方に光を放出する側方光ＰＢを生成する側方光源５６がボード３の側部に設けられている。この場合、側方光ＰＢがボード３の側部に形成され、ボード３の側部付近を薄明かり状態とするのに有利である。天井光源５５および側方光源５６としては、蛍光灯、発光ＬＥＤ、白熱電球、ネオンランプ等の公知の照明灯を採用できる。
【００２０】
図１に示すように、複数のボード３の間には中間ボード３Ｍが設けられている。中間ボード３Ｍは、物品を収容する中間収容空間３５と中間棚３６とをもつ。複数のボード３間に位置するように、遮光部材５が中間ボード３Ｍに横方向に回動可能に設けられている。遮光部材５は中間収容空間３５を開閉する扉として機能することができる。不使用時には、遮光部材５は矢印Ｒ１方向（退避方向、図１参照）に回動され、退避位置に退避しており、中間収容空間３５を閉鎖する扉として機能する。これに対して、使用時には、遮光部材５は矢印Ｒ２方向（突出方向、図１参照）に回動し、突出位置に突出しており、第１ベッド２上に横たわる使用者の頭部側と第２ベッド２上に横たわる使用者の頭部側とを仕切る。使用時には、遮光部材５の向きは、ベッド本体２０に横たわる使用者の身長方向（矢印Ｙ方向）に沿った方向となる。故に、ベッド本体２０に横たわる使用者の身長方向（矢印Ｙ方向）に直交する方向（矢印Ｘ方向）に沿って、ボード３の空間部４の照明が空間部４内の光が拡散することが遮光部材５により一層効果的に抑えられる。この場合、空間部４が照明されるものの、その空間部４内の光が横側方に拡散することが遮光部材５により抑えられる。よって、一方のベッド２上で使用者が読書するとき、他方の隣のベッド２において使用者が就寝している場合であっても、その就寝者に対して影響が一層少なくされている。
【００２１】
図１および図２に示すように、天井壁に接近可能なパネル状の副遮光部材５Ｃが遮光部材５に高さ方向に沿って昇降可能に装備されている。副遮光部材５Ｃを上方（矢印Ｕ１方向）に移動させておけば、天井壁側の空間の仕切り性を高めることができ、天井光源５５に対する遮光効果を更に高めることができる。なお、コスト低減ために遮光部材５および副遮光部材５Ｃの一方または双方を廃止することもできる。照明器５０を作動させる照明器作動手段として機能する制御装置６（図４参照）が各ボード３に設けられている。制御装置６は、そのベッド２に就寝している使用者を覚醒させる覚醒時刻および就寝時刻を設定する時刻設定手段と、時刻設定手段に設定された覚醒時刻に接近または到達するとき、天井光源５５に点灯させることにより、天井壁を照らす天井光ＰＡを生成する第１操作を実行する第１照明手段と、第１操作を開始した後、上側光源５１および下側光源５２を点灯させて空間部４の照度を明るくすることにより、使用者の頭部側の照度を増加させる第２操作を実行する第２照明手段とを備えている。第１照明手段は、天井光ＰＡを間接光として生成する第１操作を実行するため、室内を広い面積で薄明かり状態とするのに有利である。天井光ＰＡを生成させた後に、空間部４の照度を明るくするため、入眠状態からの覚醒を徐々に実行することができ、使用者を快適に覚醒させるのに有利となる。
【００２２】
また、就寝時刻に接近または到達すると（使用者が入眠するとき）、時間経過につれて天井光源５５、側方光源５６、上側光源５１および下側光源５２の照度を次第に減少させることにより、使用者の頭部側の照度を次第に減少させる操作を実行する入眠促進手段を、制御装置６は備えている。この場合、使用者の頭部側の照度を徐々に減少させるため、覚醒状態の使用者を入眠状態に誘導させるのに有利となる。覚醒用の音響を生成する音響発生要素７０が各ベッド２に設けられている。制御装置６は、使用者を入眠状態から覚醒させるとき、上記した天井光ＰＡおよび側方光ＰＢの生成の他に、必要がある場合には、音響発生要素７０を作動させて覚醒用の音響（例えば、音楽、鳥の鳴き声、川の流れ音）を生成させることができる。この場合、間接光による覚醒と、音響による覚醒とが併用されるため、入眠状態から心地よく覚醒させ易い。更に、香気を生成する香気発生要素７２が各ベッド２に設けられている。制御装置６は、使用者を入眠状態から覚醒させるとき、必要がある場合には、間接光の生成と共に、香気発生要素７２を作動させて香気を生成させる。この場合、間接光による覚醒と、香気よる覚醒とが併用されるため、入眠状態から覚醒させ易い。香気は、心地良い香気が好ましい。更に、マイナスイオンを生成するマイナスイオン発生要素７４が各ベッド２に設けられている。制御装置６は、使用者を入眠状態から覚醒させるとき、必要がある場合には、光による照明と共に、マイナスイオン発生要素７４を作動させてマイナスイオンを生成させる。但し、マイナスイオンの発生が要請されない場合には、マイナスイオン解除スイッチ６８を操作しておき、マイナスイオンを発生させない方が好ましい。香気の場合にも、隣で就寝している使用者に香気が影響を与えるおそれがあるときには、香気解除スイッチ６７を操作しておき、香気を発生させない方が好ましい。
【００２３】
照明を制御するリモコン式のスイッチ装置６０が設けられている。リモコン式のスイッチ装置６０は、ベッド２に対して別離可能とされている。図４に示すように、リモコンスイッチ装置６０は、図４に示すように、天井光源５５を制御するスイッチ６２と、側方光源５６を制御するスイッチ６３と、上側光源５１を制御するスイッチ６４と、下側光源５２を制御するスイッチ６５と、ベッド２の音響発生要素７０の作動を解除する音響解除スイッチ６６と、ベッド２の香気発生要素７２の作動を解除する香気解除スイッチ６７と、ベッド２のマイナスイオン発生要素７４の作動を解除するマイナスイオン解除スイッチ６８と、ベッド２に就寝する使用者の起床時刻を設定するスイッチ６９（時刻設定手段）と、ベッド２に就寝していた使用者が起きたときに起床を確認するために操作する起床確認スイッチ８０と、ベッド２に就寝する使用者の就寝時刻を設定するスイッチ８１（時刻設定手段）と、ベッド２の使用者が入眠に入るときに操作する就寝スイッチ８２とをもつ。制御装置６はタイマ機能およびカウント機能をもつ。各スイッチはベッド２の数に応じて設けられている。従って起床時刻、就寝時刻、音響解除、香気解除、マイナスイオン解除、光源点灯作動等は使用者毎に設定可能とされている。リモコンスイッチ装置６０の各スイッチの操作信号は、制御装置６に入力される。
【００２４】
図５（Ａ）〜図５（Ｄ）は、複数のベッド２のうち一方に就寝している使用者を覚醒させるときの照明形態を示す。他方に就寝している使用者側を明るくしないような配慮がなされている。一方のベッド２に就寝している使用者を覚醒させる場合には、時間経過につれて、照明形態は、図５（Ａ）→図５（Ｂ）→図５（Ｃ）→図５（Ｄ）の順に進行し、時間経過につれて次第に明るくなる。即ち、使用の際には、ベッド２で就寝する使用者は、それぞれの専用の起床時刻を、予め、個別にリモコンスイッチ装置６０に設定しておく。起床時刻に接近または到達したら、入眠状態の使用者を覚醒させる覚醒制御を制御装置６は実行する。すなわち制御装置６は、起床時刻に接近または到達したら、天井光源５５および側方光源５６を明るくさせる予備的な第１操作（予備的な覚醒操作）を実行する。この場合、天井光ＰＡおよび側方光ＰＢが間接光として照明される。間接光は、光源から直接放出される直接光に比較して柔らかい光といえる。このため、覚醒時において眩しさによる不快感が軽減され、入眠状態からの覚醒を良好に行うことができる。なお、予備的な覚醒操作では、天井光源５５を作動させて明るくしてから側方光源５６を作動させて明るくさせてもよい。あるいは、側方光源５６を作動させて明るくしてから天井光源５５を作動させて明るくさせてもよい。このような予備的な覚醒操作の場合、使用者に遠い天井光源５５および側方光源５６の双方の光量を時間経過につれて次第に増加させる（図５（Ａ）→図５（Ｂ））。予備的な覚醒操作においては、使用者に近い上側光源５１および下側光源５２は点灯せず、空間部４は照明されていない。
【００２５】
その後、制御装置６は、使用者に近い上側光源５１および下側光源５２を点灯させて空間部４を照明し、空間部４の空洞光ＰＣを生成する。この場合、上側光源５１および下側光源５２をほぼ同時に作動させて明るくさせてもよい。あるいは、上側光源５１を作動させて明るくしてから下側光源５２を作動させて明るくさせてもよい。あるいは、下側光源５２を作動させて明るくしてから上側光源５１を作動させて明るくさせてもよい。この場合、時間が経過するにつれて、上側光源５１および下側光源５２の双方の光量を次第に増加させる（図５（Ｃ）→図５（Ｄ））。この結果、空間部４の全体が時間経過につれて徐々に照明される。空間部４の光は、間接光の割合が高い光として、ベッド２に寝ている使用者の顔面付近を照射する。このような本実施形態によれば、ベッド２に寝ている使用者に対して遠い天井側から、使用者の顔面付近まで、照明を徐々に明るくできる。このため、あたかも太陽が朝日として昇るが如く、ベッド２の使用者周辺を経時的に明るくでき、入眠状態からの覚醒を快適に行うことができ、心地よい覚醒に貢献することができる。隣の使用者が就寝しているときには、遮光部材５が突出位置に設定されており、複数のベッド２間を仕切っているため、就寝している隣の使用者に影響を与えにくい。更に、遮光部材５に装備されている副遮光部材５Ｃを上方（矢印Ｕ１方向）に移動させておけば（図５（Ｄ）参照）、複数のベッド２の天井壁Ｍ１側の空間をも仕切ることができるため、就寝している隣の使用者に更に影響を与えにくい。  
【００２６】
図６および図７は、タイマ計測機能をもつ制御装置６が実行する代表的に制御形態のフローチャートを示す。図６は覚醒用のフローチャートを示す。覚醒用のフローチャートはこれに限定されるものではない。図６に示すように、現在時刻を読み込む（ステップＳ１０２）。次に現在時刻が起床時刻に相当するか否か判定する（ステップＳ１０４）。起床時間でなければ、メインルーチンにリターンする。現在時刻が起床時間に相当すれば、香気発生が解除されているか、マイナスイオン発生が解除されているか読み込み（ステップＳ１０６）。香気発生が解除されていなければ、香気発生要素７２を所定時間作動させる（ステップＳ１０８）。マイマスイオン発生が解除されていなければ、マイナスイオン発生要素７４を所定時間作動させる（ステップＳ１０８）。香気発生が解除されていれば、香気発生要素７２を非作動とする。マイナスイオン発生が解除されていれば、マイナスイオン発生要素７４を非作動とする。次に、使用者に遠い天井光源５５および側方光源５６を明るくして（ステップＳ１１０）、天井光ＰＡおよび側方光ＰＢを生成させる。次に、天井光源５５および側方光源５６の光量をΔＬ１増加させる（ステップＳ１１２）。カウント回数Ｎを１増加させると共に、時間ΔＴ１待機する（ステップＳ１１４）。次に、カウント回数Ｎが覚醒用の所定回数ＮＡに到達したか否か判定する（ステップＳ１１６）。到達していなければ、ステップＳ１１２に戻る。このためカウント回数Ｎが覚醒用の所定回数ＮＡに到達するまで、天井光源５５および側方光源５６の光量はΔＬ１ずつ、時間ΔＴ１毎に次第に増加する（予備覚醒操作を実行する第１照明手段）。この場合、天井光源５５および側方光源５６の光量をΔＬ１ずつ増加させつつも、天井光源５５および側方光源５６を点滅させて、覚醒効果を高めることにしても良い。
【００２７】
カウント回数Ｎが覚醒用の所定回数ＮＡに到達していれば、空間部４を照明すべく、使用者に近い上側光源５１および下側光源５２を点灯させると共に、カウント回数Ｎをキャンセルする（ステップＳ１１８）。上側光源５１および下側光源５２の光量をΔＬ２増加させ、空間部４内における光量を増加させる（ステップＳ１２０）。カウント回数Ｎを１増加させると共に、時間ΔＴ２待機させる（ステップ１２２）。次に、カウント回数Ｎが覚醒用の所定回数ＮＢに到達したか否か判定する（ステップＳ１２４）。到達していなければ、ステップＳ１２０に戻る。このためカウント回数Ｎが覚醒用の所定回数ＮＢに到達するまで、上側光源５１および下側光源５２の光量は、ΔＬ２ずつ、時間ΔＴ２毎に次第に増加する。これにより覚醒を徐々になし得る（使用者の頭部側を明るくする第２操作を実行する第２照明手段）。この場合、上側光源５１および下側光源５２の光量をΔＬ２ずつ増加させつつも、上側光源５１および下側光源５２を点滅させて、覚醒効果を高めることにしても良い。ここまでの間接光により使用者が起床していれば、起床確認用のスイッチ８０が操作されるはずである。このため起床確認スイッチ８０の操作を待つべく、所定時間待機すると共に、カウント数Ｎをキャンセルする（ステップＳ１２６）。もし、所定時間経過しても、起床確認用のスイッチ８０が操作されていないときには、使用者は起床していないと推定される。そこで、起床確認用のスイッチ８０の操作状況を読み込み（ステップＳ１２８）、起床確認スイッチ８０が操作されているか否か、つまり、使用者が起床しているか否か判定する（ステップＳ１３０）。ここで、起床確認用のスイッチ８０が操作されているときには、使用者は起床していると推定される。起床していれば、メインルーチンにリターンする。これに対して、所定時間経過しても、起床確認用のスイッチ８０が操作されていないときには、起床していないと推定される。このように使用者が起床していないと推定されるとき、音響解除スイッチ６６が解除されていなければ（ステップＳ１３２のＮＯ）、音響発生要素７０を所定時間作動させて、覚醒を促進させる（ステップＳ１３４）。そしてメインルーチンにリターンする。
【００２８】
図７は使用者が入眠するときに制御装置６が実施する入眠用のフローチャートを示す。入眠用のフローチャートは図７に限られるものではない。図７に示すように、就寝用のスイッチ８２の操作状況を読み込む（ステップＳ４０２）。就寝用のスイッチ８２が操作されているか否かを判定する（ステップＳ４０４）。就寝用のスイッチ８２が操作されていれば、使用者は入眠を開始することになる。そこで、香気発生およびマイナスイオン発生が解除されているか読み込み（ステップＳ４０６）。香気発生が解除されていなければ、香気発生要素７２を所定時間作動させると共に、マイナスイオン発生が解除されていなければ、マイナスイオン発生要素７４を所定時間作動させる（ステップＳ４０８）。香気発生およびマイナスイオン発生が解除されていれば、香気発生要素７２およびマイナスイオン発生要素７４を非作動とする。
【００２９】
次に、上側光源５１および下側光源５２の光量をΔＬ３減少させる（ステップＳ４１０）。カウント回数Ｎを１増加させるとともに、時間ΔＴ３待機する（ステップＳ４１２）。カウント回数Ｎが就寝用の所定回数ＮＣに到達したか否か判定する（ステップＳ４１４）。到達していなければ、ステップＳ４１０に戻る。このためカウント回数Ｎが覚醒用の所定回数ＮＣに到達するまで、上側光源５１および下側光源５２の光量は、ΔＬ３ずつ、時間ΔＴ３ごとに次第に減少する。カウント回数Ｎが覚醒用の所定回数ＮＣに到達していれば、上側光源５１および下側光源５２をオフ（または光量極く微小）させると共に、カウント回数Ｎをキャンセルする（ステップＳ４１６）。次に、天井光用の天井光源５５および側方光ＰＢの側方光源５６の光量をΔＬ４減少させる（ステップＳ４１８）。カウント回数Ｎを１増加させると共に、時間ΔＴ４待機する（ステップＳ４２０）。カウント回数Ｎが就寝用の所定回数ＮＤに到達したか否か判定する（ステップＳ４２２）。到達していなければ、ステップＳ４１８に戻る。このためカウント回数Ｎが覚醒用の所定回数ＮＤに到達するまで、天井光源５５および側方光源５６の光量は、ΔＬ４ずつ、時間ΔＴ４ごとに減少する。カウント回数Ｎが覚醒用の所定回数ＮＤに到達していれば、天井光源５５および側方光源５６をオフさせ（または光量極く微小）（ステップＳ４２４）、メインルーチンにリターンする。このように天井光ＰＡおよび側方光ＰＢの光量を徐々に減少させるため、入眠を徐々になし得る。上記した制御は、各ベッド２の使用者に対して個別に実行される。なお本実施形態によれば、天井光源５５、側方光源５６、上側光源５１、下側光源５２の光の色温度については、使用者を覚醒させるときに適する色彩（例えば、白色、昼光色、青白っぽい色）となるように設定することができる。つまり、光の色温度は４５００Ｋ以上（Ｋ：ケルビン）（４５００Ｋ〜１１０００Ｋ、殊に５０００Ｋ〜１１０００Ｋ）に設定することができる。このような色温度であれば、高い覚醒効果が得られ、覚醒促進に貢献できる。
【００３０】
（実施形態２）
図８は実施形態２を示す。本実施形態は実施形態１と基本的には同様の構成、同様の作用効果をもつ。以下、異なる部位を中心として説明する。図８に示すように、上側光透過部材４６を載せて支持する複数の支持部材４６０が空間部４付近に設けられている。複数の支持部材４６０のうちいずれかを選択することにより、上側光透過部材４６は傾斜可能（方向変更可能）とされている。つまり、上側光透過部材４６は複数の位置、つまり、第１位置ＳＡ、第２位置ＳＢ、第３位置ＳＣのいずれかに設定可能とされている。これにより上側光透過部材４６の光反射方向を使用者の好みに応じて調整できる。背壁部４１は、光拡散機能をもつ光拡散部材４４をもつ。背壁部４１は、背壁部４１の裏面に取り付けられた第１アクチュエータ４１０により変位可能とされている。第１アクチュエータ４１０が作動すると、背壁部４１の光拡散部材４４が変位するため、空間部４内の光の刺激性を高めることができる。従って、使用者を覚醒させるとき、第１アクチュエータ４１０が作動すると、背壁部４１の光拡散部材４４の変位を繰り返し、空間部４内の光の刺激性を高めることができ、熟睡者に対して覚醒効果を高めることができる。このように光刺激性促進要素として機能する第１アクチュエータ４１０としては、モータ、超音波振動子、電磁ソレノイド等が例示される。なお他の実施形態においても、第１アクチュエータ４１０により背壁部４１の変位を繰り返しても良い。
【００３１】
（実施形態３）
図９は実施形態３を示す。本実施形態は実施形態１と基本的には同様の構成、同様の作用効果をもつ。以下、異なる部位を中心として説明する。図９に示すように、上側光透過部材４６は、光拡散機能をもつ光拡散部材４４をもつ。上側光透過部材４６は、上側光透過部材４６の裏面に配置された第１アクチュエータ４６０（光刺激性促進要素）により変位可能とされている。第１アクチュエータ４６０が作動すると、背壁部４１の光拡散部材４４が繰り返し変位するため、空間部４内の光の刺激性を高めることができる。従って、使用者を覚醒させるとき、第１アクチュエータ４６０が作動すると、上側光透過部材４６の光拡散部材４４が繰り返して変位し、空間部４内の光の刺激性を高めることができ、熟睡者に対して覚醒効果を高めることができる。読書するとき等のように通常の照明を行うときには、第１アクチュエータ４６０を非駆動として、空間部４の光を揺動させない形態が採用される。なお他の実施形態においても、第１アクチュエータ４６０により上側光透過部材４６の光拡散部材４４の変位を繰り返しても良い。
【００３２】
（実施形態４）
図１０は実施形態４を示す。本実施形態は実施形態１と基本的には同様の構成、同様の作用効果をもつ。以下、異なる部位を中心として説明する。図１０に示すように、上側光透過部材４６の下面４６ｄは、円弧凹形状となるように曲成されており、上側光源５１から発光された光を空間部４内において集束させる割合を高め機能を有する。下側光源５２から発光され下側光透過部材４７を透過した光は、上側光透過部材４６で集束方向に反射される。更に上側光源５１を変位（振動または移動）させる第２アクチュエータ５１ｍ（光刺激性促進要素）が空間部４の外方に装備されている。第２アクチュエータ５１ｍが駆動すると、上側光源５１が繰り返し変位（振動または移動）するので、上側光源５１から発光される光が揺動し、光による刺激性を高めることができる。読書するとき等のように通常の照明を行うときには、第２アクチュエータ５１ｍを非駆動として、空間部４の光を揺動させない形態が採用される。これに対して、入眠状態の使用者を覚醒させるとき、第２アクチュエータ５１ｍを駆動させて、上側光源５１から発光される光の光路を揺動させ、ひいては空間部４の光を揺動させて、熟睡者に対する覚醒光の刺激性を高める。なお他の実施形態においても、上側光透過部材４６の下面４６ｄを円弧凹形状としても良い。
【００３３】
（実施形態５）
図１１は実施形態５を示す。本実施形態は実施形態１と基本的には同様の構成、同様の作用効果をもつ。以下、異なる部位を中心として説明する。図１１に示すように、ベッド２上の使用者側に開放する照明口４２をもつ空間部４がボード３に形成されている。遮光性をもつ伸縮可能な第２遮光部材５Ｅの取付盤５Ｅ２が照明口４２の横方に位置するように、ボード３に取り付けられている。第２遮光部材５Ｅは蛇腹構造とされており、伸縮によりボード３に対して出没可能とされている。空間部４の光が隣の使用者に伝播されないようにするためには、蛇腹状の第２遮光部材５Ｅを伸張させ、空間部４から出現方向（矢印Ｆ１方向）に出現させ、突出位置ＥＡとさせる。不使用時には、第２遮光部材５Ｅを収縮方向（矢印Ｆ１方向と反対方向）収縮させて退避位置とさせる。なお、不使用時に蛇腹状の第２遮光部材５Ｅを収縮状態に維持するバンド状をなす拘束具５Ｅ６が第２遮光部材５Ｅに設けられている。なお他の実施形態においても、蛇腹構造の第２遮光部材５Ｅを設けても良い。
【００３４】
（実施形態６）
図１２は実施形態６を示す。本実施形態は実施形態１と基本的には同様の構成、同様の作用効果をもつ。以下、異なる部位を中心として説明する。図１２に示すように、空間部４から引き出し可能な遮光性をもつ第２遮光部材５Ｆがボード３の空間部４内に取り付けられている。第２遮光部材５Ｆは、空間部４から引き出し可能な線状体５Ｆ１と、線状体に垂下された遮光性をもつカーテン状の遮光幕５Ｆ２とをもつ。空間部４の光が隣の使用者に伝播されないようにするためには、第２遮光部材５Ｆを空間部４から出現方向（矢印Ｆ２方向）出現させて突出位置とさせる。図１２に示すように、突出位置においては、遮光幕５Ｆ２の下端５Ｆ５は、空間部４の照明口４２の下辺部４８よりも下方に垂下しているため、周辺（例えば隣の就寝者）に対する遮光性を高めることができる。
【００３５】
第２遮光部材５Ｆの不使用時には、第２遮光部材５Ｆを収縮方向（矢印Ｆ２方向と反対方向）収縮させて退避位置とさせる。この場合、遮光幕５Ｆ２は可撓性に富むため、遮光幕５Ｆ２の長く垂れている下端５Ｆ５を空間部４内に収容させることができる。なお他の実施形態においても、カーテン状の第２遮光部材５Ｆを設けても良い。
【００３６】
（実施形態７）
図１３は実施形態７を示す。本実施形態は実施形態６と基本的には同様の構成、同様の作用効果をもつ。以下、異なる部位を中心として説明する。図１３に示すように、引き出し可能な遮光性をもつ第２遮光部材５Ｆがボード３の空間部４の照明口４２の横方の両側に取り付けられている。空間部４の照明口４２の横方の両側に対する遮光性を高めることができる。空間部４の照明の光が他の就寝者に影響を与えることが回避される。
【００３７】
（実施形態８）
図１４は実施形態８を示す。本実施形態は実施形態１と基本的には同様の構成、同様の作用効果をもつ。以下、異なる部位を中心として説明する。図１４に示すように、空間部４の照明用の照明口４２の全体は、光透過性をもつ透明または半透明の閉鎖部材８により覆われている。上側光源５１および下側光源５２は空間部４外に配置されている。閉鎖部材８を透過する光が使用者側に伝播されるので、柔らかい間接光を得るのに遊離となる。なお照明口４２の一部を閉鎖部材８により覆っても良い。なお他の実施形態においても、空間部４の照明口４２を閉鎖部材８により覆っても良い。
【００３８】
（実施形態９）
図１５は実施形態９を示す。本実施形態は実施形態１と基本的には同様の構成、同様の作用効果をもつ。以下、異なる部位を中心として説明する。図１５に示すように、空間部４の照明用の照明口４２は、光透過性をもつ透明または半透明の閉鎖部材８により覆われている。更に上側光源５１および下側光源５２は空間部４の内部に配置されている。上側光源５１と閉鎖部材８との間には、上側シェード要素８１（上側光透過要素）が配置されている。下側光源５２と閉鎖部材８との間には、下側シェード要素８２（下側光透過要素）が配置されている。上側シェード要素８１および下側シェード要素８２は、間接光を生成させるのに有利である。なお他の実施形態においても、上側シェード要素８１および下側シェード要素８２を設けても良い。
【００３９】
（実施形態１０）
図１６は実施形態１０を示す。本実施形態は実施形態９と基本的には同様の構成、同様の作用効果をもつ。以下、異なる部位を中心として説明する。図１６に示すように、上側光源５１および下側光源５２は空間部４内に配置されている。上側光源５１と閉鎖部材８との間には、上側シェード要素８１（上側光透過要素）が配置されている。下側光源５２と閉鎖部材８との間には、下側シェード要素（下側光透過要素）が配置されている。上側シェード要素８１および下側シェード要素８２は、間接光を生成させるのに遊離である。空間部４の容積は、実施形態７の空間部４の容積よりも小さく設定されている。つまり、空間部４の容積は、使用者の頭部程度の容積とされている。なお他の実施形態においても、空間部４の容積を使用者の頭部程度の容積程度としても良い。
【００４０】
（実施形態１１）
図１７は実施形態１１を示す。本実施形態は実施形態９と基本的には同様の構成、同様の作用効果をもつ。以下、異なる部位を中心として説明する。図１７に示すように、空間部４の照明用の照明口４２は、光透過性をもつ透明または半透明の閉鎖部材８により覆われている。ベッド２の寝具２１の上面２１ｕを基準高さ（高さゼロ）とすると、空間部４の照明口４２の下辺部４８の高さをＨｄとし、空間部４の照明口４２の上辺部４９の高さをＨｕと、ベッド２に横たわる使用者の頭部の高さをＨheadとすると、Ｈｕ＞Ｈhead、Ｈhead＞Ｈｄの関係とされている。従って下辺部４８は、ベッド２に横たわる使用者の頭部付近に対面する。なお他の実施形態においても、Ｈｕ＞Ｈhead、Ｈhead＞Ｈｄの関係としても良い。
【００４１】
（実施形態１２）
図１８は実施形態１２を示す。本実施形態は実施形態１と基本的には同様の構成、同様の作用効果をもつ。本実施形態に係る室内用の照明付ベッド装置１では、ボード３のうちベッド本体２０側には、光透過性をもつ半透明の板状をなす切替部材８５が昇降可能（移動可能）に取り付けられている。切替部材８５は空間部４の照明用の照明口４２を開閉させる。切替部材８５は照明口４２の開放量を調整できる。読書等のように明るい照明が必要とされるときには、切替部材８５が上昇しており、空間部４の照明用の照明口４２を閉鎖していない。このときには、空間部４の照明の光は、開放状態の照明口４２を介して、ベッド２上の使用者の頭部付近を照らす。これに対して、あまり明るい照明が必要とされないときには、切替部材８５がボード３に沿って作用方向（矢印Ｄ１方向）に下降しており、照明口４２の全部または半分程度を閉鎖している。このときには、空間部４の照明の光は、半透明の切替部材８５を透過するため、柔らかい光として、ベッド２上の使用者の頭部付近を照らす。なお他の実施形態においても切替部材８５を設けても良い。
【００４２】
（実施形態１３）
図１９は実施形態１３を示す。本実施形態は実施形態１と基本的には同様の構成、同様の作用効果をもつ。本実施形態に係る室内用の照明付ベッド装置１は、単数のベッド２を備えている。ベッド２は、ベッド本体２０と、ヘッドボード３として機能するボード３とを備える。ボード３は照明用の照明口４２をもつ空間部４をもつ。空間部４の照明口４２は、透明または半透明の閉鎖部材８で常時覆われている。なお、閉鎖部材８は照明口４２に対して着脱可能としても良い。閉鎖部材８を廃止し、照明口４２を露出させても良い。なお他の実施形態においても、空間部４の照明口４２を透明または半透明の閉鎖部材８で常時覆っても良い。
【００４３】
（実施形態１４）
図２０は実施形態１４を示す。本実施形態は実施形態１と基本的には同様の構成、同様の作用効果をもつ。本実施形態に係る室内用の照明付ベッド装置１は、複数のベッド２を備えている。ベッド２は、ベッド本体２０と、ヘッドボード３として機能すボード３とをもつ。ボード３の高さは、実施形態１の場合よりも低く設定されており、収容スペースが小さくされている。中間ボード３Ｍの開閉扉として機能する遮光部材５が中間ボード３Ｍに回動可能に設けられている。天井光源５５および側方光源５６は装備されていない。
【００４４】
（実施形態１５）
図２１〜図２４は実施形態１５を示す。本実施形態は実施形態１と基本的には同様の構成、同様の作用効果をもつ。図２１に示すように、本実施形態に係る室内用の照明付ベッド装置１は、複数（２個）のベッド２を並設して備えている。ベッド２は、寝具を載せるベッド本体２０と、ヘッドボード３として機能する化粧用のボード３Ｂとを備える。ボード３Ｂは、縦方向に延設された縦延設部材３００と、横方向に延設された横延設部材３１０とをもつ。ボード３Ｂは、複数並設されたベッド２に共通するように、複数並設されたベッド２の並設方向（矢印ＷＡ方向）に沿って延設されている。ボード３Ｂは、ベッド２の数に整合するように、複数の空間部４をもつ。空間部４は、空間部４内に位置する光源をもつ照明器５０と、縦延設部材３００に形成されベッド２上の使用者側に対向する対面照明口４２Ｅと、横延設部材３１０に形成され上向きに開放された上面照明口４２ｕと、上面照明口４２ｕに着脱可能に取り付けられた板状をなす透明または半透明の板状をなす光透過部材４７Ｂとをもつ。図２３および図２４に示すように、光透過部材４７Ｂの取付孔４７０に取付螺子４７１（取付具）を挿入し、その取付螺子４７１を横延設部材３１０の螺子孔３１２に螺着する。これにより光透過部材４７Ｂはボード３Ｂの横延設部材３１０に着脱可能に取り付けられている。取付螺子４７１を外して光透過部材４７Ｂをボード３Ｂの横延設部材３１０から離脱させれば、空間部４の照明器５０の光源を交換することができる。空間部４の照明器５０から発光された光は、縦延設部材３００の対面照明口４２Ｅからベッド２上の使用者の頭部側を照らす。空間部４の照明器５０から発光された光は、光透過部材４７Ｂを透過して上方に伝播されるものの、間接光として、ベッド２上の使用者の頭部付近を明るくする。
【００４５】
（実施形態１６）
図２５は実施形態１６を示す。本実施形態は実施形態１と基本的には同様の構成、同様の作用効果をもつ。以下、異なる部位を中心として説明する。図２５に示すように、上側光源５１は、色温度が高い覚醒用光源９０と、色温度が低い入眠用光源９１とを備えている。下側光源５２も、色温度が高い覚醒用光源９０と、色温度が低い入眠用光源９１とを備えている。天井光源５５、側方光源５６も同様に、色温度が高い覚醒用光源９０と、色温度が低い入眠用光源９１とを備えている。覚醒用光源９０から発光される光の色温度は、使用者を覚醒させるときに適する色彩（例えば、白色、昼光色、青白っぽい色）となるように設定されている。つまり、光の色温度は４５００Ｋ以上（Ｋ：ケルビン）（４５００Ｋ〜１１０００Ｋの範囲内、殊に５０００Ｋ〜１１０００Ｋの範囲内）に設定されている。このような色温度であれば、高い覚醒効果が得られ、覚醒促進に貢献できる。入眠用光源９１から発光される光の色温度は、使用者を入眠させるときに適する色彩（赤っぽい色）となるように設定されている。つまり、光の色温度は４５００Ｋ未満（Ｋ：ケルビン）（４５００Ｋ未満〜１０００Ｋの範囲内）に設定されている。このような色温度であれば、高いリラックス効果、高い入眠促進効果が得られる。本実施形態によれば、制御装置６は、入眠状態の使用者を覚醒させるときには、上側光源５１、下側光源５２、天井光源５５および側方光源５６において、色温度が高い覚醒用光源９０に信号線６ｘを介して切り替え、これを点灯（連続点灯する場合、点滅する場合、点灯しつつ輝度変化する場合、点灯しつつ照度変化する場合も含む）させるもの、色温度が低い入眠用光源９１を点灯させない。また制御装置６は、覚醒状態の使用者を入眠させるときには、上側光源５１、下側光源５２、天井光源５５および側方光源５６において、色温度が低い入眠用光源９１に切り替え、これを点灯させるもの、色温度が高い覚醒用光源９０を点灯させない。なお他の実施形態においても、実施形態１６の光源形態を適用しても良い。
【００４６】
（実施形態１７）
図２６は実施形態１７を示す。本実施形態は実施形態１と基本的には同様の構成、同様の作用効果をもつ。以下、異なる部位を中心として説明する。図２６に示すように、上側光源５１は色混合可能な３原色の光源をもつ。つまり、上側光源５１は、赤色の光を発光する赤色光源９５と（第１単色光源）、緑色の光を発光する緑色光源９６（第２単色光源）と、青色の光を発光する青色光源９７（第３単色光源）とをもつ。下側光源５２は、赤色の光を発光する赤色光源９５と（第１単色光源）、緑色の光を発光する緑色光源９６（第２単色光源）と、青色の光を発光する青色光源９７（第３単色光源）とをもつ。天井光源５５は３原色の光源をもつ。つまり、天井光源５５は、赤色の光を発光する赤色光源９５と（第１単色光源）、緑色の光を発光する緑色光源９６（第２単色光源）と、青色の光を発光する青色光源９７（第３単色光源）とをもつ。側方光源５６は、赤色の光を発光する赤色光源９５と（第１単色光源）、緑色の光を発光する緑色光源９６（第２単色光源）と、青色の光を発光する青色光源９７（第３単色光源）とをもつ。そして、使用者を入眠状態から覚醒させるときには、覚醒効果が高い色つまり色温度が高い色（即ち、青白っぽい色彩が強い光）が、上側光源５１，下側光源５２、天井光源５５および側方光源５６において生成されるように、制御装置６は信号線６ｙを介して、赤色光源９５と緑色光源９６と青色光源９７とを制御し、三原色の混合比を調整する。この場合にも、時間経過につれて光量を次第に増加させることができる。また、覚醒効果が高い色を連続点灯させても良い。あるいは、点滅を繰り返して刺激性を高めることにしても良い。また、制御装置６はタイマ機能を有するため、タイマ機能により季節を判別し、季節に応じた光となるように光の色相を変化させる指令を出力しても良い。
【００４７】
具体的には、制御装置６が現在の季節が夏季である判定するときには、涼しさを使用者に感じさせる色（例えば、青っぽい色）を覚醒光として生成させるように、三原色の混合比を調整する指令を信号線６ｙを介して出力しても良い。また、制御装置６は、現在季節が冬季である判別するときには、暖かさを使用者に感じさせる色（例えば、赤っぽい色）を覚醒光として生成させるように、三原色の混合比を調整する指令を出力しても良い。これに対して使用者を覚醒状態から入眠させるときには、リラックス効果が高い色、つまり、色温度が低い色（即ち、赤っぽい色彩が強い光）が、上側光源５１，下側光源５２、天井光源５５および側方光源５６において生成されるように、制御装置６は信号線６ｙを介して、赤色光源９５と緑色光源９６と青色光源９７とを制御する。この場合にも、時間経過につれて光、量を次第に減少させることができる。本実施形態では、赤色光源９５の赤光と緑色光源９６の緑光と青色光源９７の青光との混合形態により、使用者を覚醒させる適する色を任意に生成できる。このため、ベッド２に寝ている使用者の顔面付近を照らす空間部４の光を覚醒に適する色に設定することができる。また、赤光と緑光と青光との混合形態により、覚醒している使用者を入眠させる適する色を任意に生成できる。このため、ベッド２に寝ている使用者の顔面付近を照らす空間部４の光を覚醒に適する色に色温度を設定することができる。本実施形態によれば、照明器は、光の色温度を変更可能に設けられており、照明器作動手段は、使用者を覚醒させるとき、使用者を入眠させるときよりも覚醒に適する色温度をもつ色を設定する形態が例示される。この場合、覚醒効果を高めることができる。また、照明器作動手段は、使用者を入眠させるとき、使用者を覚醒させるときよりも入眠に適する色温度をもつ色を設定する形態が例示される。この場合、入眠効果を高めることができる。なお他の実施形態においても、実施形態１７の光源形態を適用しても良い。
【００４８】
（その他）
上記した実施形態１では、上側光源５１、下側光源５２、天井光源５５および側方光源５６が装備されているが、空間部４を照らさない天井光源５５および側方光源５６を廃止しても良い。上記した実施形態１では、空間部４は上側光源５１および下側光源５２により照明されるが、上側光源５１および下側光源５２のうちいずれか一方を廃止しても良い。また、場合によっては、空間部４の背壁部４１および側壁部４０に照明器の光源を装備させても良い。要するに、空間部４の内部を照明できれば良い。上記した実施形態１では、ボード３は、ヘッドボードとして機能するが、フットボードとして機能することにしても良い。並設されるベッド２の数は特に限定されず、３個、それ以上でも良く、勿論、単数でも良い。空洞部４の形状は直方体空間形状に限定されず、円柱空間形状でも、多角形空間形状でも良い。本発明は上記し且つ図面に示した実施形態のみに限定されるものではなく、必要に応じて適宜変更可能である。ある実施形態に装備されている特有の構造および機能は、その特有の構造および機能が装備されていない他の実施形態についても、必要に応じて適用できる。上記した記載から次の技術的思想も把握できる。
・就寝する使用者の頭部側に対面するボードを備えるベッド装置において、前記ボードは、ベッド上の使用者側の脚側に開放する空間部と、前記空間部の上下側面の少なくとも一方に設けられた光源とを備え、空間部の下辺部および上辺部の双方が、ベッドに横たわる使用者の頭部よりも上方に位置し、前記光源から照射された光が他方の側面で反射された後に就寝者を覚醒させるようにしたものである。
【産業上の利用可能性】
【００４９】
本発明は入眠している使用者を覚醒させるに適する照明付ベッド装置（例えばベッド）に利用できる。
【図面の簡単な説明】
【００５０】
【図１】実施形態１に係り、斜視図である。
【図２】実施形態１に係り、正面図である。
【図３】実施形態１に係り、要部の断面を模式的に示す構成図である。
【図４】制御装置のブロック図である。
【図５】覚醒させるときの照明形態を模式的に示す構成図である。
【図６】覚醒処理のフローチャートである。
【図７】入眠処理のフローチャートである。
【図８】実施形態２に係り、要部の断面を模式的に示す構成図である。
【図９】実施形態３に係り、要部の断面を模式的に示す構成図である。
【図１０】実施形態４に係り、要部の断面を模式的に示す構成図である。
【図１１】実施形態５に係り、空間部付近を模式的に示す斜視図である。
【図１２】実施形態６に係り、空間部付近を模式的に示す斜視図である。
【図１３】実施形態７に係り、空間部付近を模式的に示す斜視図である。
【図１４】実施形態８に係り、要部の断面を模式的に示す構成図である。
【図１５】実施形態９に係り、要部の断面を模式的に示す構成図である。
【図１６】実施形態１０に係り、要部の断面を模式的に示す構成図である。
【図１７】実施形態１１に係り、要部の断面を模式的に示す構成図である。
【図１８】実施形態１２に係り、要部の断面を模式的に示す構成図である。
【図１９】実施形態１３に係り、斜視図である。
【図２０】実施形態１４に係り、斜視図である。
【図２１】実施形態１５に係り、ボードの裏面付近を模式的に示す斜視図である。
【図２２】実施形態１５に係り、ベッド付近を模式的に示す斜視図である。
【図２３】実施形態１５に係り、ボードの裏面付近を模式的に示す分解斜視図である。
【図２４】実施形態１５に係り、ボードの光源付近を模式的に示す断面図である。
【図２５】実施形態１６に係り、照明器の光源を模式的に示す構成図である。
【図２６】実施形態１７に係り、照明器の光源を模式的に示す構成図である。
【符号の説明】
【００５１】
１は照明付ベッド装置、２はベッド、２１は寝具、３はボード、４は空間部、４０は側壁部、４１は背壁部、４２は照明口、４６は上側光透過部材（上側面）、４７は下側光透過部材（下側面）、５は遮光部材、５０は照明器、５１は上側光源、５２は下側光源、５５は天井光源、５６は側方光源、６は制御装置、６０はリモコンスイッチ装置、６９はスイッチ（時刻設定手段）、８１はスイッチ（時刻設定手段）、８は閉鎖部材、８５は切替部材を示す。
【図１】
2008022899.tif 000003
【図２】
2008022899.tif 000004
【図３】
2008022899.tif 000005
【図４】
2008022899.tif 000006
【図５】
2008022899.tif 000007
【図６】
2008022899.tif 000008
【図７】
2008022899.tif 000009
【図８】
2008022899.tif 000010
【図９】
2008022899.tif 000011
【図１０】
2008022899.tif 000012
【図１１】
2008022899.tif 000013
【図１２】
2008022899.tif 000014
【図１３】
2008022899.tif 000015
【図１４】
2008022899.tif 000016
【図１５】
2008022899.tif 000017
【図１６】
2008022899.tif 000018
【図１７】
2008022899.tif 000019
【図１８】
2008022899.tif 000020
【図１９】
2008022899.tif 000021
【図２０】
2008022899.tif 000022
【図２１】
2008022899.tif 000023
【図２２】
2008022899.tif 000024
【図２３】
2008022899.tif 000025
【図２４】
2008022899.tif 000026
【図２５】
2008022899.tif 000027
【図２６】
2008022899.tif 000028